(57)【要約】【課題】乗かごが階床間を走行中であっても、乗かごの窓ガラスから見える昇降路の外部の現実の景観に適合した景観情報画像を、同じ窓ガラスに表示させることができる。【解決手段】本発明は、乗かご８の側板に窓ガラス９を有し、この窓ガラス９を通して乗かご８内より昇降路１の外部の景観を見ることができる展望用エレベータに設けられ、窓ガラス９に乗かご８の位置に対応して見える外部の景観に関係する景観情報画像３Ｄを表示する透過性フィルムスクリーン１５Ａと、乗かご８に設けられ、景観情報画像３Ｄが設定され、この景観情報画像３Ｄを透過性フィルムスクリーン１５Ａに再生表示させるプロジェクタ１４Ａと、ロータリエンコーダ６で測定された乗かご８の位置及び速度に応じた画像再生速度となるように、プロジェクタ１４Ａを制御する情報表示内容制御装置１３とを備えている。【選択図】図３
2012006760.tif 000002
【特許請求の範囲】
【請求項１】
乗かごの側板に窓ガラスを有し、この窓ガラスを通して前記乗かご内より昇降路の外部の景観を見ることができるエレベータに設けられ、
前記窓ガラスに前記乗かごの位置に対応して見える外部の景観に関係する景観情報画像を表示する画像表示装置を備えたエレベータの情報表示装置において、
前記乗かごの位置及び速度を測定する測定手段と、
前記乗かごに設けられ、前記景観情報画像が設定され、この景観情報画像を前記画像表示装置に再生表示させる表示指令手段と、
前記測定手段で測定された前記乗かごの位置及び速度に応じた画像再生速度となるように、前記表示指令手段を制御する情報表示内容制御装置とを備えたことを特徴とするエレベータの情報表示装置。
【請求項２】
請求項１に記載のエレベータの情報表示装置において、
前記画像表示装置は、透過性フィルムスクリーンから成り、
前記表示指令手段は、前記透過性フィルムスクリーンに前記景観情報画像を投影するプロジェクタから成ることを特徴とするエレベータの情報表示装置。
【請求項３】
請求項２に記載のエレベータの情報表示装置において、
前記乗かご内に乗り込んだ乗客の身長を計測する身長計測手段を備え、
前記情報表示内容制御装置は、前記身長計測手段で計測された乗客の身長に応じて、前記プロジェクタの投影アングルを調整する制御を行なうことを特徴とするエレベータの情報表示装置。
【請求項４】
請求項３に記載のエレベータの情報表示装置において、
前記身長計測手段は、前記情報表示内容制御装置に含まれ、前記乗かごのドアに設けられた赤外線センサに対する乗客の遮光状態データである乗客身長データ、及び前記乗かご内を撮影するカメラの画像データである乗客身長データの少なくとも一方の乗客身長データに基づいて、乗客の身長を演算する演算手段から成ることを特徴とするエレベータの情報表示装置。
【請求項５】
請求項４に記載のエレベータの情報表示装置において、
前記演算手段は、前記乗かご内の複数の乗客の平均身長を演算する平均身長演算手段から成り、
前記情報表示内容制御装置は、前記平均身長演算手段で演算された平均身長に応じて、前記プロジェクタの撮影アングルを調整する制御を行なうことを特徴とするエレベータの情報表示装置。
【請求項６】
請求項１に記載のエレベータの情報表示装置において、
前記画像表示装置は、ＬＥＤディスプレイから成り、
前記表示指令手段は、前記景観情報画像を前記ＬＥＤディスプレイに表示させるＬＥＤディスプレイ制御ユニットから成ることを特徴とするエレベータの情報表示装置。
【請求項７】
請求項１〜６に記載のエレベータの情報表示装置において、
前記表示指令手段に、前記乗かごの位置及び速度に関係する運行情報画像を設定し、
前記情報表示内容制御装置は、前記測定手段で測定した前記乗かごの位置及び速度に応じた前記運行情報画像が前記画像表示装置に表示されるように、前記表示指令手段を制御することを特徴とするエレベータの情報表示装置。
【発明の詳細な説明】
【技術分野】
【０００１】
本発明は、展望用エレベータ等のエレベータに設けられ、乗かごの側板の窓ガラスに、窓ガラスを通して見える昇降路の外部の景観に関係する景観情報画像を表示する画像表示装置を備えたエレベータの情報表示装置に関係する。
【背景技術】
【０００２】
この種の従来技術として、特許文献１に示されるものがある。特許文献１には、展望用エレベータの乗かごの位置を検出し、この乗かごの位置に応じて乗かごの窓ガラスに設けた所定のセグメントに電圧を印加し、不透明に変色させた文字を表示する説明表示器、すなわち乗かごの位置に対応して見える外部の景観に関係する文字から成る景観情報画像を表示する画像表示装置を備えた構成が開示されている。
【先行技術文献】
【特許文献】
【０００３】
【特許文献１】特公昭６０−３１３号公報
【発明の概要】
【発明が解決しようとする課題】
【０００４】
前述した特許文献１に示される従来技術では、乗かごが所定階に停止しているときには、乗かごの窓ガラスを通して見える昇降路の外部の現実の景観に対応する景観情報画像を、同じ窓ガラスに表示させることは可能である。しかし、乗かごが走行することにより乗かごの位置が連続的に変化する場合には、乗かごの乗客の目線に応じて乗かごの窓ガラスから見える現実の景観と、同じ窓ガラスに設けた画像表示装置で表示される景観情報画像とを一致させることができなかった。すなわち、階床間の乗かごの走行中にあっては、乗かごの窓ガラスに、この窓ガラスを通して乗客が見ている現実の景観に適合する景観情報表示を行なうことのできない問題があった。
【０００５】
本発明は、前述した従来技術における実状からなされたもので、その目的は、乗かごが階床間を走行中であっても、乗かごの窓ガラスから見える昇降路の外部の現実の景観に適合した景観情報画像を、同じ乗かごの窓ガラスに表示させることができるエレベータの情報表示装置を提供することにある。
【課題を解決するための手段】
【０００６】
前記目的を達成するために、本発明に係るエレベータの情報表示装置は、乗かごの側板に窓ガラスを有し、この窓ガラスを通して前記乗かご内より昇降路の外部の景観を見ることができるエレベータに設けられ、前記窓ガラスに前記乗かごの位置に対応して見える外部の景観に関係する景観情報画像を表示する画像表示装置を備えたエレベータの情報表示装置において、前記乗かごの位置及び速度を測定する測定手段と、前記乗かごに設けられ、前記景観情報画像が設定され、この景観情報画像を前記画像表示装置に再生表示させる表示指令手段と、前記測定手段で測定された前記乗かごの位置及び速度に応じた画像再生速度となるように、前記表示指令手段を制御する情報表示内容制御装置とを備えたことを特徴としている。
【０００７】
このように構成した本発明は、乗かごの窓ガラスに備えられた画像表示装置によって表示される景観情報画像は、情報表示内容制御装置による表示指令手段の制御によって、測定手段で測定された乗かごの位置及び速度に応じた画像再生速度で表示されるので、乗かごの乗客が、乗かごの窓ガラスを通して昇降路の外部の現実の景観を見るタイミングと、同じ窓ガラスに該当する景観に関係する景観情報画像が表示されるタイミングとを一致させることができる。すなわち、乗かごが階床間を走行中であっても、乗かごの窓ガラスから見える昇降路の外部の現実の景観に適合した景観情報画像を、同じ乗かごの窓ガラスに表示させることができる。
【０００８】
また本発明は、前記発明において、前記画像表示装置は、透過性フィルムスクリーンから成り、前記表示指令手段は、前記透過性フィルムスクリーンに前記景観情報画像を投影するプロジェクタから成ることを特徴としている。
【０００９】
また本発明は、前記発明において、前記乗かご内に乗り込んだ乗客の身長を計測する身長計測手段を備え、前記情報表示内容制御装置は、前記身長計測手段で計測された乗客の身長に応じて、前記プロジェクタの投影アングルを調整する制御を行なうことを特徴としている。このように構成した本発明は、情報表示内容制御装置によって乗客の身長に応じてプロジェクタの投影アングルが調整されて、乗客の身長に応じた乗客の目線の高さ位置で見える外部の現実の景観に適合した乗かごの窓ガラスの位置に、該当する景観に関係する景観情報画像を画像表示装置によって表示させることができる。
【００１０】
また本発明は、前記発明において、前記身長計測手段は、前記情報表示内容制御装置に含まれ、前記乗かごのドアに設けられた赤外線センサに対する乗客の遮光状態データである乗客身長データ、及び前記乗かご内を撮影するカメラの画像データである乗客身長データの少なくとも一方の乗客身長データに基づいて、乗客の身長を演算する演算手段から成ることを特徴としている。
【００１１】
また本発明は、前記発明において、前記演算手段は、前記乗かご内の複数の乗客の平均身長を演算する平均身長演算手段から成り、前記情報表示内容制御装置は、前記平均身長演算手段で演算された平均身長に応じて、前記プロジェクタの撮影アングルを調整する制御を行なうことを特徴としている。このように構成した本発明は、情報表示内容制御装置によって複数の乗客の平均身長に応じたプロジェクタの投影アングルとなるように調整されるので、平均身長から想定される目線の高さ位置で見える外部の現実の景観に適合した乗かごの窓ガラスの位置に、該当する景観に関係する景観情報画像を画像表示装置によって表示させることができる。
【００１２】
また本発明は、前記発明において、前記画像表示装置は、ＬＥＤディスプレイから成り、前記表示指令手段は、前記景観情報画像を前記ＬＥＤディスプレイに表示させるＬＥＤディスプレイ制御ユニットから成ることを特徴としている。
【００１３】
また本発明は、前記発明において、前記表示指令手段に、前記乗かごの位置及び速度に関係する運行情報画像を設定し、前記情報表示内容制御装置は、前記測定手段で測定した前記乗かごの位置及び速度に応じた前記運行情報画像が前記画像表示装置に表示されるように、前記表示指令手段を制御することを特徴としている。このように構成した本発明は、乗かごの同じ窓ガラスに、外部の現実の景観に適合した景観情報画像と、乗かごの位置及び速度に関係する運行情報を併せて表示させることができる。
【発明の効果】
【００１４】
本発明は、乗かごの位置及び速度を測定する測定手段と、乗かごに設けられ、昇降路の外部の景観に関係する景観情報画像が設定され、この景観情報画像を乗かごの窓ガラスの画像表示装置に再生表示させる表示指令手段と、測定手段で測定された乗かごの位置及び速度に応じた画像再生速度となるように、表示指令手段を制御する情報表示内容制御装置とを備えたことから、乗かごの乗客が、乗かごの窓ガラスを通して昇降路の外部の現実の景観を見るタイミングと、乗かごの窓ガラスに該当する景観に関係する景観情報画像が表示されるタイミングとを一致させることができる。すなわち、乗かごが階床間を走行中であっても、乗かごの窓ガラスから見える昇降路の外部の現実の景観に適合した景観情報画像を、同じ乗かごの窓ガラスに表示させることができ、従来に比べて乗かごの乗客に対する景観説明サービス性を向上させることができる。
【図面の簡単な説明】
【００１５】
【図１】本発明に係る情報表示装置の第１実施形態が備えられるエレベータの一例として挙げた展望用エレベータと、この展望用エレベータの乗かごの昇降に応じて乗かごから見られる外部の景観と、第１実施形態で得られる情報表示例とを示す図である。
【図２】本発明に係る情報表示装置の第１実施形態を示す縦断面図である。
【図３】本発明に係る情報表示装置の第１実施形態に備えられる各機器と、対応する各データとを含む制御シーケンスを示す図である。
【図４】本発明に係る情報表示装置の第２実施形態を示す縦断面図である。
【発明を実施するための形態】
【００１６】
以下、本発明に係るエレベータの情報表示装置の実施の形態を図に基づいて説明する。
【００１７】
図１は本発明に係る情報表示装置の第１実施形態が備えられるエレベータの一例として挙げた展望用エレベータと、この展望用エレベータの乗かごの昇降に応じて乗かごから見られる外部の景観と、第１実施形態で得られる情報表示例とを示す図である。
【００１８】
この図１に示すように、本発明の第１実施形態に係る情報表示装置が備えられるエレベータは、例えば展望用エレベータであり、昇降路１の略全体が、昇降路１の外部の景観を見ることができるようにガラス張りに形成されている。したがって、乗かごが最下階乗かご位置２Ａにあるときには、乗かごの乗客は、乗かごの側板に設けられる窓ガラスを通して外部の現実の景観２Ｂを見ることができ、乗かごが最上階乗かご位置４Ａにあるときには、乗かごの乗客は、前述の窓ガラスを通して景観４Ｂを見ることができ、乗かごが階床間乗かご位置３Ａにあるときには、乗かごの乗客は前述の窓ガラスを通して外部の現実の景観３Ｂを見ることができる。乗かごは制御盤７によって駆動される巻上機６に巻回されるワイヤロープによって昇降路１内を走行する。
【００１９】
この図１に示すように、後述する第１実施形態に係る情報表示装置にあっては、階床間乗かご位置３Ａの前述の窓ガラスから見た外部の現実の景観３Ｂに対応させて、同じ窓ガラスに、情報表示例３Ｃで例示するように、「□□ビル」「○○ビル」「△△ビル」「××ビル」等の景観情報画像３Ｄを表示するようになっている。また、情報表示例３Ｃで例示するように、同じ窓ガラスに、乗かごの位置及び速度に関係する運行情報３Ｅも表示するようにしてある。
【００２０】
第１実施形態に係る情報表示装置は、乗かごの位置及び速度を測定する測定手段を備えている。この測定手段は、例えば図１に示すように、巻上機５の回転数に応じた信号を出力するロータリエンコーダ６から成っている。
【００２１】
図２は本発明に係る情報表示装置の第１実施形態を示す縦断面図、図３は本発明に係る情報表示装置の第１実施形態に備えられる各機器と、対応する各データとを含む制御シーケンスを示す図である。
【００２２】
図２に示すように、第１実施形態に係る情報表示装置は、乗かご８の窓ガラス９に、乗かご８の位置に対応して見える外部の景観に関する景観情報画像、すなわち図１に示す景観情報画像３Ｄ、及び運行情報画像３Ｅを表示する画像表示装置を設けてある。この画像表示装置は、例えば窓ガラス９に貼り付けた透過性フィルムスクリーン１５Ａから成っている。
【００２３】
また、第１実施形態は、乗かご８に設けられ、景観情報画像３Ｄ及び運行情報画像３Ｅが設定され、これらの景観情報画像３Ｄ及び運行情報画像３Ｅを画像表示装置に再生表示させる表示指令手段を備えている。この表示指令手段は、例えば乗かご８内の天井付近に設置され、景観情報画像３Ｄ及び運行情報画像３Ｅを透過性フィルムスクリーン１５Ａに投影可能なプロジェクタ１４Ａから成っている。
【００２４】
また、第１実施形態は、測定手段すなわちロータリエンコーダ６で測定された乗かご８の位置及び速度に応じた画像再生速度となるように、表示指令手段すなわちプロジェクタ１４Ａを制御する情報表示内容制御装置１３を備えている。この情報表示内容制御装置１３は、例えば乗かご８の天井の上部に設置してある。
【００２５】
さらに、この第１実施形態は、乗かご８内に乗り込んだ乗客の身長を計測する身長計測手段を備えており、情報表示内容制御装置１３は、身長計測手段で計測された乗客の身長に応じて、プロジェクタ１４Ａの現実の投影アングル、あるいは見かけ上の投影アングルを調整する制御を行なう。身長計測手段は、例えば、情報表示内容制御装置１３に含まれ、乗かご８のドア１０に配置された赤外線センサ１１に対する図３に示す乗客の遮光状態データＤ１である乗客身長データ、及び乗かご８内を撮影するカメラ、例えば防犯カメラ１２の画像データである乗客身長データの少なくとも一方の乗客身長データＤ３に基づいて、乗客の身長を演算する演算手段から成っている。
【００２６】
なお、プロジェクタ１４の投影アングルの調整は、情報表示内容制御装置１３から出力される信号に基づいて、プロジェクタ１４に備えられるレンズの角度を変更させるようにして調整してもよく、また、プロジェクタ１４に予めレンズの角度を変更させた場合の複数の景観情報画像、すなわち窓ガラス９に対して異なる高さ位置に表示される複数の景観情報画像を設定しておき、情報表示内容制御装置１３から出力される信号に応じて、複数の景観情報画像のうちの対応する画像を選定するようにして調整するようにしてもよい。
【００２７】
また、図３に示すように、ロータリエンコーダ６から出力される信号は、かご位置データＤ４、及び速度データＤ５として情報表示内容制御装置１３に入力され、情報表示内容制御装置１３に含まれる演算手段は、これらのかご位置データＤ４、及び速度データＤ５に基づいて乗かご８の位置及び速度を演算するようになっている。
【００２８】
このように構成した第１実施形態にあっては、図１に示したように、制御盤７による巻上機５の駆動によって乗かご８が走行した際に、乗かご８の側板の窓ガラス９を通して乗かご８の乗客は、ガラス張りに形成された昇降路１の外部の景観を見ることができる。また、同じ窓ガラス９に設けられた透過性スクリーン１５Ａに、プロジェクタ１４Ａに設定された景観情報画像３Ｄ及び乗かご８の運行情報画像３Ｅが、このプロジェクタ１４Ａから投射され、これらの画像を見ることができる。
【００２９】
このとき、透過性フィルムスクリーン１５Ａによって表示される景観情報画像３Ｄ及び運行情報画像３Ｅは、情報表示内容制御装置１３によるプロジェクタ１４Ａの制御によって、ロータリエンコーダ６で測定された乗かご８の位置及び速度に応じた画像再生速度で表示されるので、乗かご８の乗客が、乗かご８の窓ガラス９を通して昇降路１の外部の現実の景観を見るタイミングと、同じ窓ガラス９に該当する景観に関係する景観情報画像３Ｄが表示されるタイミングとを一致させることができる。すなわち、乗かご８が走行し、例えば図１の階床間乗かご位置３Ａに至ったときであっても、乗かご８の窓ガラス９から見える昇降路１の外部の景観に適合した景観情報画像３Ｄを、同じ乗かご８の窓ガラス９に表示させることができる。なお、乗かご８が所定階に停止しているときには、昇降路１の外部の現実の景観に適合した景観情報画像３Ｄを同じ乗かご８の窓ガラス９に表示させることができる。また、このとき、停止している階を表示する運行情報画像３Ｅも、同じ乗かご８の窓ガラス９に表示させることができる。
【００３０】
また、この第１実施形態は、図３に示す乗客身長データＤ３に基づいて情報表示内容制御装置１３の演算手段で演算された乗かご８内の乗客の身長に応じて、プロジェクタ１４Ａの投影アングルを調整するようにしてあることから、乗客の身長に応じた乗客の目線の高さ位置で見える外部の現実の景観に適合した乗かご８の窓ガラス９の位置に、該当する景観に関係する景観情報画像３Ｄを透過性フィルムスクリーン１５Ａによって表示させることができる。したがって、乗客が例えば背の低い子供等であっても、その子供が見ている昇降路１の外部の現実の景観に適合した景観情報画像３Ｄを窓ガラス９に表示させることができ、子供等に対する景観説明サービス性を向上させることができる。
【００３１】
さらに、この第１実施形態は、透過性フィルムスクリーン１５Ａに、景観情報画像３Ｄとともに、乗かご８の運行情報画像３Ｅを併せて表示させるようにしてあることから、乗かご８の乗客が目的階を乗り越さないように注意喚起することができる。
【００３２】
なお、この第１実施形態において、情報表示内容制御装置１３に設けられる乗客の身長を演算する演算手段を、乗かご８の複数の乗客の平均身長を演算する平均身長演算手段によって構成してもよい。
【００３３】
このように構成したものでは、情報表示内容制御装置１３によって複数の乗客の平均身長に応じたプロジェクタ１４Ａの投影アングルとなるように調整されるので、平均身長から想定される目線の高さ位置で見える昇降路１の外部の現実の景観に適合した乗かご８の窓ガラス９の位置に、該当する景観に関係する景観情報画像３Ｄを透過性フィルムスクリーン１５Ａによって表示させることができる。
【００３４】
図４は本発明に係る情報表示装置の第２実施形態を示す縦断面図である。
【００３５】
この図４に示す第２実施形態は、乗かご８の窓ガラス９に設けられる画像表示装置がＬＥＤディスプレイ１５Ｂから成っている。また、情報表示内容制御装置１３によって制御され、景観情報画像３ＤをＬＥＤディスプレイ１５Ｂに表示させる表示指令手段が、例えば乗かご８の上部に情報表示内容制御装置１３と並設されるＬＥＤディスプレイ制御ユニット１４Ｂから成っている。その他の構成は、前述した第１実施形態と同等である。
【００３６】
なお、この第２実施形態にあっては、例えばＬＥＤディスプレイ制御ユニット１４Ｂ内に、第１実施形態における異なる投影アングルに該当する複数の景観情報画像を予め設定してあり、赤外線センサ１１あるいは防犯カメラ１２を介して取得される乗客身長データＤ３に基づく演算によって求められた乗客の身長に相応する信号が情報表示内容制御装置１３から出力された際に、複数の景観情報画像のうちの前述の信号に対応する景観情報画像が選定され、その画像信号がＬＥＤディスプレイ１５Ｂに送信される。したがって、ＬＥＤディスプレイ１５Ｂに乗かご８の乗客の身長に対応する目線の高さ位置に相応する窓ガラス８の位置に、該当する景観情報画像３Ｄが表示される。その他の作用効果については前述した第１実施形態と同等である。
【００３７】
前述した第１，第２実施形態は、展望用エレベータに設けてあるが、乗かごの側板の窓ガラスから昇降路の外部の景観を見ることができるように昇降路が形成されているエレベータであれば、昇降路の全面をガラス張りにした展望用エレベータに限られることなく本発明を適用することができる。
【符号の説明】
【００３８】
１    昇降路
２Ａ  最下階乗かご位置
２Ｂ  景観
３Ａ  階床間乗かご位置
３Ｂ  景観
３Ｃ  情報表示例
３Ｄ  景観情報画像
３Ｅ  運行情報画像
４Ａ  最上階乗かご位置
４Ｂ  景観
５    巻上機
６    ロータリエンコーダ（測定手段）
７    制御盤
８    乗かご
９    窓ガラス
１０    ドア
１１    赤外線センサ
１２    防犯カメラ
１３    情報表示内容制御装置
１４Ａ  プロジェクタ（表示指令手段）
１４Ｂ  ＬＥＤディスプレイ制御ユニット（表示指令手段）
１５Ａ  透過性フィルムスクリーン（画像表示装置）
１５Ｂ  ＬＥＤディスプレイ（画像表示装置）
【図１】
2012006760.tif 000003
【図２】
2012006760.tif 000004
【図３】
2012006760.tif 000005
【図４】
2012006760.tif 000006